(57)【要約】【課題】梱包箱１を封止した状態であっても、ＲＦＩＤ（無線自動認識）技術を用いて梱包箱１内部の内容物４、５の梱包状態を判定可能とし、梱包管理に役立てることができる梱包内容物の梱包状態判定方法およびその梱包状態判定ユニットを提供すること。【解決手段】第１の内容物４にループアンテナ部１１を取り付けるとともに、第２の内容物５に、ループアンテナ部１１に電磁結合可能なブースターアンテナ部１４を取り付けることに着目し、第１の内容物４に、ループアンテナ部１１を取り付けるとともに、ループアンテナ部１１にＩＣチップを接続しておき、第２の内容物５に、ループアンテナ部１１に電磁結合可能なブースターアンテナ部１４を取り付け、ブースターアンテナ部１４とループアンテナ部１１との相対的な配置状態により、第１の内容物４および第２の内容物５の梱包状態を判定する。【選択図】図１
2014191759.tif 000002
【特許請求の範囲】
【請求項１】
梱包箱に梱包された少なくとも一対の内容物について、この梱包箱内におけるその相対的な梱包状態が正常か否かを判定するための梱包内容物の梱包状態判定方法であって、
前記少なくとも一対の前記内容物のうちの第１の内容物に、ループアンテナ部を取り付けるとともに、このループアンテナ部にＩＣチップを接続しておき、
前記少なくとも一対の前記内容物のうちの第２の内容物に、前記ループアンテナ部に電磁結合可能なブースターアンテナ部を取り付け、
このブースターアンテナ部と前記ループアンテナ部との相対的な配置状態により、前記第１の内容物および前記第２の内容物の梱包状態を判定することを特徴とする梱包内容物の梱包状態判定方法。
【請求項２】
前記梱包箱の外部から、リーダーライターからの通信電波を照射することを特徴とする請求項１記載の梱包内容物の梱包状態判定方法。
【請求項３】
前記ループアンテナ部および前記ブースターアンテナ部は、互いに電磁結合可能な範囲において、前記第１の内容物および前記第２の内容物にそれぞれこれを取り付けることを特徴とする請求項２記載の梱包内容物の梱包状態判定方法。
【請求項４】
前記リーダーライターからの前記通信電波の照射に対して、応答がある場合には、前記第１の内容物と前記第２の内容物との相対的な梱包状態が適正であると判定することを特徴とする請求項２記載の梱包内容物の梱包状態判定方法。
【請求項５】
前記リーダーライターからの前記通信電波の照射に対して、応答がない場合には、前記第１の内容物と前記第２の内容物との相対的な梱包状態が適正ではないと判定することを特徴とする請求項１ないし４のいずれかに記載の梱包内容物の梱包状態判定方法。
【請求項６】
梱包箱に梱包された少なくとも一対の内容物について、この梱包箱内におけるその相対的な梱包状態が正常か否かを判定するための梱包内容物の梱包状態判定ユニットであって、
ＩＣチップを接続したループアンテナ部を取り付けた前記少なくとも一対の前記内容物のうちの第１の内容物と、
前記ループアンテナ部に電磁結合可能なブースターアンテナ部を取り付けた前記少なくとも一対の前記内容物のうちの第２の内容物と、を有し、
前記ループアンテナ部と前記ブースターアンテナ部との相対的な配置状態により、前記梱包箱内における前記第１の内容物および前記第２の内容物の梱包状態を判定可能としていることを特徴とする梱包内容物の梱包状態判定ユニット。
【発明の詳細な説明】
【技術分野】
【０００１】
本発明は梱包内容物の梱包状態判定方法およびその梱包状態判定ユニットにかかるもので、とくにＲＦＩＤ（Ｒａｄｉｏ  Ｆｒｅｑｕｅｎｃｙ  Ｉｄｅｎｔｉｆｉｃａｔｉｏｎ；無線自動認識）技術を応用した梱包内容物の梱包状態判定方法およびその梱包状態判定ユニットに関するものである。
【背景技術】
【０００２】
従来から、梱包箱に梱包された複数個の内容物について、この梱包箱内におけるその相対的な梱包状態が正常か否かを目視により判定していた。
上記内容物としては、物品そのものの場合もあれば、物品を容れた、より小型の梱包箱の場合もある。
上記梱包状態としては、それぞれの内容物の数はもちろん、相対的な向きや上下左右関係ないし姿勢あるいは詰め方向、さらには上記梱包箱内における配置状態などがあり、この梱包状態が不適正である場合には、内容物の欠品はもちろん、梱包箱全体の重量バランスが崩れたり、梱包箱を開封したのちのそれぞれの内容物について取出し順序や組立て順序に支障があるなどの諸問題がある。
【０００３】
しかしながら、上記梱包箱を封止した状態では、不透明な梱包箱の場合には、梱包した内容物およびその梱包状態を目視することができないという問題がある。
【先行技術文献】
【特許文献】
【０００４】
【特許文献１】特開２００５−２２８００７号公報
【発明の概要】
【発明が解決しようとする課題】
【０００５】
本発明は以上のような諸問題にかんがみなされたもので、梱包箱を封止した状態であっても内容物の梱包状態を確認ないし判定することができる梱包内容物の梱包状態判定方法およびその梱包状態判定ユニットを提供することを課題とする。
【０００６】
また本発明は、ＲＦＩＤ（無線自動認識）技術を用いた梱包内容物の梱包状態判定方法およびその梱包状態判定ユニットを提供することを課題とする。
【０００７】
また本発明は、無線通信により梱包箱内部の内容物の梱包状態を判定可能とし、梱包管理に役立てることができる梱包内容物の梱包状態判定方法およびその梱包状態判定ユニットを提供することを課題とする。
【課題を解決するための手段】
【０００８】
すなわち本発明は、第１の内容物に、ループアンテナ部を取り付けるとともに、このループアンテナ部にＩＣチップを接続しておき、第２の内容物に、ループアンテナ部に主に電磁結合（ないしは電磁界結合）によって共振可能なブースターアンテナ部を取り付けることに着目したもので、第一の発明は、梱包箱に梱包された少なくとも一対の内容物について、この梱包箱内におけるその相対的な梱包状態が正常か否かを判定するための梱包内容物の梱包状態判定方法であって、上記少なくとも一対の上記内容物のうちの第１の内容物に、ループアンテナ部を取り付けるとともに、このループアンテナ部にＩＣチップを接続しておき、上記少なくとも一対の上記内容物のうちの第２の内容物に、上記ループアンテナ部に電磁結合可能なブースターアンテナ部を取り付け、このブースターアンテナ部と上記ループアンテナ部との相対的な配置状態により、上記第１の内容物および上記第２の内容物の梱包状態を判定することを特徴とする梱包内容物の梱包状態判定方法である。
【０００９】
第二の発明は、梱包箱に梱包された少なくとも一対の内容物について、この梱包箱内におけるその相対的な梱包状態が正常か否かを判定するための梱包内容物の梱包状態判定ユニットであって、ＩＣチップを接続したループアンテナ部を取り付けた上記少なくとも一対の上記内容物のうちの第１の内容物と、上記ループアンテナ部に電磁結合可能なブースターアンテナ部を取り付けた上記少なくとも一対の上記内容物のうちの第２の内容物と、を有し、上記ループアンテナ部と上記ブースターアンテナ部との相対的な配置状態により、上記梱包箱内における上記第１の内容物および上記第２の内容物の梱包状態を判定可能としていることを特徴とする梱包内容物の梱包状態判定ユニットである。
【００１０】
上記梱包箱の外部から、リーダーライターからの通信電波を照射することができる。
【００１１】
上記ループアンテナ部および上記ブースターアンテナ部は、互いに電磁結合可能な範囲において、上記第１の内容物および上記第２の内容物にそれぞれこれを取り付けることができる。
【００１２】
上記リーダーライターからの上記通信電波の照射に対して、応答がある場合には、上記第１の内容物と上記第２の内容物との相対的な梱包状態が適正であると判定することができる。
【００１３】
上記リーダーライターからの上記通信電波の照射に対して、応答がない場合には、上記第１の内容物と上記第２の内容物との相対的な梱包状態が適正ではないと判定することができる。
【発明の効果】
【００１４】
本発明による梱包内容物の梱包状態判定方法およびその梱包状態判定ユニットにおいては、互いに電磁結合可能なブースターアンテナ部およびループアンテナ部の相対的な配置状態により、第１の内容物および第２の内容物の梱包状態を判定することができる。
【００１５】
とくに第一の発明の梱包内容物の梱包状態判定方法によれば、第１の内容物に、ループアンテナ部を取り付けるとともに、このループアンテナ部にＩＣチップを接続しておき、第２の内容物に、ループアンテナ部に電磁結合可能なブースターアンテナ部を取り付けることにより、梱包箱の封止後であっても、ＲＦＩＤ技術を用いて第１の内容物および第２の内容物の梱包状態を判定することができる。
【００１６】
とくに第二の発明の梱包内容物の梱包状態判定ユニットによれば、ＩＣチップを接続したループアンテナ部を取り付けた第１の内容物と、ループアンテナ部に電磁結合可能なブースターアンテナ部を取り付けた第２の内容物と、を有しているので、ループアンテナ部とブースターアンテナ部との相対的な配置状態により、梱包箱内における第１の内容物および第２の内容物の梱包状態を判定可能である。
【図面の簡単な説明】
【００１７】
【図１】本発明の実施例による梱包内容物の梱包状態判定方法およびその梱包状態判定ユニットを説明するための、梱包箱１および梱包状態判定ユニット２の斜視図である。
【図２】同、ＩＣストラップラベル６およびブースターアンテナラベル７を説明する斜視図である。
【図３】同、第１の内容物４および第２の内容物５が所定の適正な梱包状態に配置されて収容され、梱包箱１の蓋３を封止した状態の斜視図である。
【図４】同、梱包箱１内における第１の内容物４および第２の内容物５の梱包状態が不適正な第１の例を示す斜視図である。
【図５】同、梱包箱１内における第１の内容物４および第２の内容物５の梱包状態が不適正な第２の例を示す斜視図である。
【図６】同、梱包箱１内における第１の内容物４および第２の内容物５の梱包状態が不適正な第３の例を示す斜視図である。
【図７】同、梱包箱１内に三個の内容物が収容されている場合に、本発明を応用した第１の応用例を示す斜視図である。
【図８】同、梱包箱１内に四個の内容物が収容されている場合に、本発明を応用した第２の応用例を示す斜視図である。
【発明を実施するための形態】
【００１８】
本発明は、梱包箱内における第１の内容物に取り付けたループアンテナ部と第２の内容物に取り付けたブースターアンテナ部との相対的な位置関係ないし姿勢を無線通信による判定手法により、梱包箱の封止後であっても内容物の梱包状態を判定可能とした梱包内容物の梱包状態判定方法およびその梱包状態判定ユニットを実現した。
【実施例】
【００１９】
つぎに本発明の実施例による梱包内容物の梱包状態判定方法およびその梱包状態判定ユニットを図１ないし図６にもとづき説明する。
図１は、梱包箱１および梱包状態判定ユニット２の斜視図である。
梱包箱１は、一般的な段ボール箱その他の材料による梱包用の箱であって、梱包状態判定ユニット２をその内部に収容し、蓋３により封止可能としている。
【００２０】
梱包状態判定ユニット２は、たとえば第１の物品（図示せず）を収容した小型の箱からなる第１の内容物４と、第２の物品（図示せず）を収容した同じく小型の箱からなる第２の内容物５と、の組み合わせであって、第１の内容物４には、無線によるデータ通信が可能なＩＣストラップラベル６を取り付けてあるとともに、第２の内容物５には、ブースターアンテナラベル７を取り付けてある。
【００２１】
図２は、ＩＣストラップラベル６およびブースターアンテナラベル７を説明する斜視図であって、ＩＣストラップラベル６およびブースターアンテナラベル７の組合わせ構成により、ＩＣストラップラベル６およびブースターアンテナラベル７を互いに分離したまま第１の内容物４および第２の内容物５における所定の部位にそれぞれ貼り分けることができるようにしたＲＦＩＤラベル８を形成可能としている。
【００２２】
ＩＣストラップラベル６は、たとえば矩形状や円形状のラベル基材９上にＩＣチップ１０およびループアンテナ部１１を有し、粘着剤層１２により第１の内容物４の所定の部位にこれを貼り付け可能である。
ブースターアンテナラベル７は、たとえば細長矩形状のラベル基材１３上にブースターアンテナ部１４を有し、粘着剤層１５により、第２の内容物５の所定の部位にこれを貼り付け可能である。
ＩＣチップ１０には、第１の内容物４および第２の内容物の管理番号その他の管理データを記憶させておく。
なお、ＩＣストラップラベル６およびブースターアンテナラベル７の表面を保護フィルム（図示せず）により保護することができる。
【００２３】
ループアンテナ部１１は、図示の例では、これを矩形状の金属箔、金属膜や導電塗料から構成する共振アンテナであって、これにＩＣチップ１０を直接接続している。
ブースターアンテナ部１４は、金属箔ないしは金属膜から所定のアンテナパターンにこれを形成し、このループアンテナ部１１に電磁結合（より詳細には図示の例では、磁界結合）可能であるとともにＩＣチップ１０から離反した位置にこれを設けている。
電磁結合の形態としては、ＩＣチップ１０、ループアンテナ部１１およびブースターアンテナ部１４の設計により、任意の電磁界結合方式（磁界結合、電界結合）を採用することができる。
とくにブースターアンテナ部１４は、ループアンテナ部１１から間隔Ｇだけ離れた部位に配置可能である。
この間隔Ｇとしては、ループアンテナ部１１およびブースターアンテナ部１４が互いに電磁結合可能な範囲ないし距離であり、図１に示すように、ＩＣストラップラベル６（ループアンテナ部１１）およびブースターアンテナラベル７（ブースターアンテナ部１４）をそれぞれ第１の内容物４および第２の内容物５の近接した端部領域に位置させて貼り付けている。
【００２４】
ＲＦＩＤラベル８は、たとえばＵＨＦ帯（３００ＭＨｚ〜３ＧＨｚ（好ましくは８６０〜９６０ＭＨｚ、さらに具体的には、４３３ＭＨｚ、９００ＭＨｚ、９１５〜９２８ＭＨｚ、９５０〜９５８ＭＨｚ）の周波数帯の電波および電磁的作用などにより、ループアンテナ部１１およびブースターアンテナ部１４を介してＩＣチップ１０に必要なデータの無線による読み取りおよび書き込み（データ通信）を行う。
ただし、それぞれの使用電波に応じてＩＣチップ１０およびループアンテナ部１１およびブースターアンテナ部１４の具体的構成を適正なものとしている。
ＵＨＦ帯（たとえば、８６０〜９６０ＭＨｚ）の波長を有する電波を使用するものでは、その通信距離が通常は５〜１０ｍ程度であり、各種の分野における応用が期待されている。
【００２５】
こうした構成の梱包状態判定ユニット２（第１の内容物４、第２の内容物５）を梱包箱１に箱詰めしておくことにより、第１の内容物４および第２の内容物５の梱包箱１内におけるその梱包状態の相対的な位置関係が正常か否かを判定可能である。
図３は、第１の内容物４および第２の内容物５が所定の適正な梱包状態に配置されて収容され、梱包箱１の蓋３を封止した状態の斜視図である。
すなわち、ループアンテナ部１１およびブースターアンテナ部１４は、互いに電磁結合可能な範囲（間隔Ｇ）において、第１の内容物４および第２の内容物５にそれぞれこれを取り付けてあり、この状態で、リーダーライター１６との無線通信が可能である。
【００２６】
すなわち、梱包箱１の外部にあるリーダーライター１６のリーダーライターアンテナ部１７から通信電波を梱包箱１に照射し、ブースターアンテナ部１４とループアンテナ部１１との相対的な配置状態により、第１の内容物４および第２の内容物５の梱包状態を判定する。
具体的には、リーダーライター１６からの通信電波の照射に対して、応答がある場合には、第１の内容物４および第２の内容物５が互いに適正な間隔Ｇ内に位置しており、ＲＦＩＤラベル８としてリーダーライター１６との間で無線通信が行われたことにより、第１の内容物４と第２の内容物５との相対的な梱包状態が適正であると判定する。
逆に、リーダーライター１６からの通信電波の照射に対して、応答がない場合には、第１の内容物４に対して第２の内容物５が適正な姿勢ないし間隔Ｇ内に位置していないため、ＲＦＩＤラベル８としてリーダーライター１６との間で無線通信を実行困難であり、第１の内容物４と第２の内容物５との相対的な梱包状態が適正ではないと判定する。
【００２７】
かくして、図３に示すように、第１の内容物４および第２の内容物５が適正な梱包状態にあって、ＩＣストラップラベル６およびブースターアンテナラベル７が適正な間隔Ｇ内にあるときには、ＲＦＩＤラベル８からリーダーライター１６に応答があって、第１の内容物４および第２の内容物５は、梱包箱１内での梱包状態が適正であると判定することができる。
【００２８】
図４は、梱包箱１内における第１の内容物４および第２の内容物５の梱包状態が不適正な第１の例を示す斜視図であって、第２の内容物５が第１の内容物４に対して適正位置（図３）から１８０度回転した姿勢であり、ＩＣストラップラベル６およびブースターアンテナラベル７が所定の間隔Ｇ以上離れているために、ＲＦＩＤラベル８として機能せず、梱包箱１からリーダーライター１６への応答を得ることができない。
したがって、この場合には、梱包箱１の蓋３を開けて、内部の第１の内容物４および第２の内容物５の梱包状態を目視で確認し、必要な対処を取ることになる。
【００２９】
図５は、梱包箱１内における第１の内容物４および第２の内容物５の梱包状態が不適正な第２の例を示す斜視図であって、梱包箱１内には、第２の内容物５ではなく間違った第２の内容物５Ａが梱包されている。
したがって、第１の内容物４に貼り付けられているＩＣストラップラベル６は、ＲＦＩＤラベル８としてその通信機能の対となるブースターアンテナ部１４を有していないこととなり、リーダーライター１６からの通信電波の発信に対し、梱包箱１からの応答がなく、図４の場合と同様に、梱包箱１の蓋３を開けて、内部の第１の内容物４および第２の内容物５（間違った第２の内容物５Ａ）の梱包状態を目視で確認し、必要な対処を取ることになる。
【００３０】
図６は、梱包箱１内における第１の内容物４および第２の内容物５の梱包状態が不適正な第３の例を示す斜視図であって、梱包箱１内には、第２の内容物５が梱包されていない。
したがって、第１の内容物４に貼り付けられているＩＣストラップラベル６は、ＲＦＩＤラベル８としてその通信機能の対となるブースターアンテナ部１４を有していないこととなり、リーダーライター１６からの通信電波の発信に対し、梱包箱１からの応答がなく、図４および図５の場合と同様に、梱包箱１の蓋３を開けて、内部の梱包状態を目視で確認し、必要な対処を取ることになる。
【００３１】
なお、図４ないし図６において、第１の内容物４のＩＣストラップラベル６が適正な部位に貼り付けられている場合を説明したが、第２の内容物５のブースターアンテナラベル７が適正に貼られていて、第１の内容物４のＩＣストラップラベル６が不適正な場合あるいは第１の内容物４の姿勢の問題あるいは欠品の場合も同様である。
【００３２】
かくして、梱包状態判定ユニット２のような構成による、ループアンテナ部１１とブースターアンテナ部１４との相対的な配置状態により、梱包箱１が封止状態であっても、その内部における第１の内容物４および第２の内容物５の梱包状態を判定可能とすることができる。
【００３３】
なお、上述した実施例においては、ループアンテナ部１１およびブースターアンテナ部１４を第１の内容物４および第２の内容物５に取り付けるために、ＩＣストラップラベル６およびブースターアンテナラベル７という粘着剤（接着剤）で貼り付ける形態を採用したが、ループアンテナ部１１およびブースターアンテナ部１４の取付け手段としては、ラベル以外にもタグその他任意の取付け手段を採用することができる。
【００３４】
さらに、本発明において、梱包箱１内に複数対の梱包状態判定ユニット２が収容されていてもよく、あるいは一般的に複数個の内容物があったとしても、そのうちの少なくとも一対の内容物について、上述の梱包状態判定ユニット２を応用することができる。
たとえば、図７は、梱包箱１内に三個の内容物が収容されている場合に、本発明を応用した第１の応用例を示す斜視図であって、梱包箱１内には、第１の内容物１８、第２の内容物１９および第３の内容物２０の三個の箱が詰められている。
【００３５】
第１の内容物１８には、図１および図２にもとづいて説明した梱包状態判定ユニット２の構成と同様に、第１のＩＣストラップラベル２１を取り付けるとともに、第２の内容物１９に、第１のＩＣストラップラベル２１との間に前記適正な間隔Ｇをもって第１のブースターアンテナラベル２２を取り付けることにより、第１のＩＣストラップラベル２１および第１のブースターアンテナラベル２２により第１のＲＦＩＤラベル２３を形成している。
かくして、第１の内容物１８および第２の内容物１９により第１の梱包状態判定ユニット２４を構成する。
【００３６】
第２の内容物１９の、上記第１のブースターアンテナラベル２２と間隔Ｇより大きく離れた部位には、第２のＩＣストラップラベル２５を取り付けるとともに、第３の内容物２０には、第２のＩＣストラップラベル２５との間に適正な間隔Ｇをもって第２のブースターアンテナラベル２６を取り付けることにより、第２のＩＣストラップラベル２５および第２のブースターアンテナラベル２６により第２のＲＦＩＤラベル２７を形成している。
かくして、第２の内容物１９および第２の内容物２０により第２の梱包状態判定ユニット２８を構成する。
【００３７】
こうした構成の第１の梱包状態判定ユニット２４および第２の梱包状態判定ユニット２８を梱包箱１に箱詰めしておくことにより、リーダーライター１６（リーダーライターアンテナ部１７）から通信電波を発信すれば、第１のＲＦＩＤラベル２３および第２のＲＦＩＤラベル２７からそれぞれ応答を得ることができ、梱包箱１内における第１の内容物１８、第２の内容物１９および第３の内容物２０の梱包状態が適正であると判定することができる。
【００３８】
つぎに図８は、梱包箱１内に四個の内容物が収容されている場合に、本発明を応用した第２の応用例を示す斜視図であって、梱包箱１内には、第１の内容物２９、第２の内容物３０、第３の内容物３１および第４の内容物３２の四個の箱が詰められている。
【００３９】
第１の内容物２９には、図１および図２にもとづいて説明した梱包状態判定ユニット２の構成と同様に、第１のＩＣストラップラベル３３を取り付けるとともに、第２の内容物３０に、第１のＩＣストラップラベル３３との間に前記適正な間隔Ｇをもって第１のブースターアンテナラベル３４を取り付けることにより、第１のＩＣストラップラベル３３および第１のブースターアンテナラベル３４により第１のＲＦＩＤラベル３５を形成している。
かくして、第１の内容物２９および第２の内容物３０により第１の梱包状態判定ユニット３６を構成する。
【００４０】
以下、同様にして、第２の内容物３０の、上記第１のブースターアンテナラベル３４と間隔Ｇより大きく離れた部位には、第２のＩＣストラップラベル３７を取り付けるとともに、第３の内容物３１には、第２のＩＣストラップラベル３７との間に適正な間隔Ｇをもって第２のブースターアンテナラベル３８を取り付けることにより、第２のＩＣストラップラベル３７および第２のブースターアンテナラベル３８により第２のＲＦＩＤラベル３９を形成している。
かくして、第２の内容物３０および第２の内容物３１により第２の梱包状態判定ユニット４０を構成する。
【００４１】
第３の内容物３１の、上記第２のブースターアンテナラベル３８と間隔Ｇより大きく離れた部位には、第３のＩＣストラップラベル４１を取り付けるとともに、第４の内容物３２には、第３のＩＣストラップラベル４１との間に適正な間隔Ｇをもって第３のブースターアンテナラベル４２を取り付けることにより、第３のＩＣストラップラベル４１および第３のブースターアンテナラベル４２により第３のＲＦＩＤラベル４３を形成している。
かくして、第３の内容物３１および第４の内容物３２により第３の梱包状態判定ユニット４４を構成する。
【００４２】
こうした構成の第１の梱包状態判定ユニット３６、第２の梱包状態判定ユニット４０および第３の梱包状態判定ユニット４４を梱包箱１に箱詰めしておくことにより、リーダーライター１６（リーダーライターアンテナ部１７）から通信電波を発信すれば、第１のＲＦＩＤラベル３５、第２のＲＦＩＤラベル３９および第３のＲＦＩＤラベル４３からそれぞれ応答を得ることができ、梱包箱１内における第１の内容物２９、第２の内容物３０、第３の内容物３１および第３の内容物３２の梱包状態が適正であると判定することができる。
【符号の説明】
【００４３】
１  梱包箱
２  梱包状態判定ユニット（実施例、図１）
３  蓋
４  第１の内容物
５  第２の内容物
５Ａ  間違った第２の内容物（図５）
６  ＩＣストラップラベル
７  ブースターアンテナラベル
８  ＲＦＩＤラベル
９  円形状のラベル基材（図２）
１０  ＩＣチップ
１１  ループアンテナ部
１２  粘着剤層
１３  細長矩形状のラベル基材
１４  ブースターアンテナ部
１５  粘着剤層
１６  リーダーライター（図３）
１７  リーダーライターアンテナ部
１８  第１の内容物（図７）
１９  第２の内容物
２０  第３の内容物
２１  第１のＩＣストラップラベル
２２  第１のブースターアンテナラベル
２３  第１のＲＦＩＤラベル
２４  第１の梱包状態判定ユニット（第１の応用例、図７）
２５  第２のＩＣストラップラベル
２６  第２のブースターアンテナラベル
２７  第２のＲＦＩＤラベル
２８  第２の梱包状態判定ユニット（第１の応用例）
２９  第１の内容物（図８）
３０  第２の内容物
３１  第３の内容物
３２  第４の内容物
３３  第１のＩＣストラップラベル
３４  第１のブースターアンテナラベル
３５  第１のＲＦＩＤラベル
３６  第１の梱包状態判定ユニット（第２の応用例、図８）
３７  第２のＩＣストラップラベル
３８  第２のブースターアンテナラベル
３９  第２のＲＦＩＤラベル
４０  第２の梱包状態判定ユニット（第２の応用例）
４１  第３のＩＣストラップラベル
４２  第３のブースターアンテナラベル
４３  第３のＲＦＩＤラベル
４４  第３の梱包状態判定ユニット（第２の応用例）
Ｇ    ループアンテナ部１１とブースターアンテナ部１４との間の間隔（図１、図２）
【図１】
2014191759.tif 000003
【図２】
2014191759.tif 000004
【図３】
2014191759.tif 000005
【図４】
2014191759.tif 000006
【図５】
2014191759.tif 000007
【図６】
2014191759.tif 000008
【図７】
2014191759.tif 000009
【図８】
2014191759.tif 000010